(57)【要約】【課題】ロールベーラーの詰まりの発生を防止し、牧草の収穫作業のスピードアップ、トラブルの減少及びロール梱包の高密度化を図るための牧草の収穫作業用補助器具を提供する。【解決手段】所定幅及び所定重量を有する転動体であるタイヤ２と、タイヤ２を回転自在に保持する保持部３と、保持部３をロールベーラー５を牽引するトラクター６の前部に取り付けるための取付部４とを備え、トラクター６の前部に取付部４を取り付け、トラクター６の移動に伴うタイヤ２の転動により、予め集草された集草列を転圧するように構成した牧草の収穫作業用補助器具１を提供する。前記タイヤ２に代えて円筒体又は円柱体、或いは金属製の円筒体又は円柱体を設けても良い。【選択図】図３
2009034700.tif 000002
【特許請求の範囲】
【請求項１】
所定幅及び所定重量を有する転動体と、前記転動体を回転自在に保持する保持部と、前記保持部をトラクターの前部、又は、集草機械の後部に取り付けるための取付部とを備え、ロールベーラーを牽引するトラクターの前部又は集草機械の後部に前記取付部を取り付け、前記トラクター又は集草機械の移動に伴う前記転動体の転動により、予め集草された集草列を転圧するように構成したことを特徴とする牧草の収穫作業用補助器具。
【請求項２】
前記転動体は、並列する複数のタイヤからなることを特徴とする請求項１記載の牧草の収穫作業用補助器具。
【請求項３】
前記転動体は、円筒体又は円柱体からなることを特徴とする請求項１記載の牧草の収穫作業用補助器具。
【請求項４】
前記円筒体又は円柱体は、金属製の円筒体又は円柱体からなることを特徴とする請求項３記載の牧草の収穫作業用補助器具。
【請求項５】
前記保持部は両端部に脚部が夫々垂設され、前記脚部の下端部にタイヤが回転自在に配設され、前記保持部の両端部で前記脚部の内側に、油圧ホイストの作動により揺動するアーム部が夫々揺動自在に設けられ、その両アーム部の先端部に前記転動体が回転自在に軸支されていることを特徴とする請求項３又は４記載の牧草の収穫作業用補助器具。
【請求項６】
前記両アーム部は弾性手段によって所定の揺動を制限されていることを特徴とする請求項５記載の牧草の収穫作業用補助器具。
【請求項７】
前記転動体と前記保持部との近接・離反寸法を示すためのゲージの下端部が、前記両アーム部を掛架する掛架部の中央部に揺動自在に設けられ、ゲージの上端部が前記保持部に設けられたゲージ保持部材を摺動自在に貫通して設けられていることを特徴とする請求項５又は６記載の牧草の収穫作業用補助器具。
【発明の詳細な説明】
【技術分野】
【０００１】
本発明は、トラクターの前部又は集草機械（レーキ）の後部に取り付ける牧草の収穫作業用補助器具に関し、特に、牧草の梱包機械であるロールベーラーによる牧草の収穫作業のスピードアップ、トラブルの減少及びロール梱包の高密度化を図るための牧草の収穫作業用補助器具に関する。
【背景技術】
【０００２】
北海道の酪農家にとって、夏季間は、年間の粗飼料（牧草、サイレージ等）を生産する繁忙期であり、特に牧草の生産は天候に大きく左右されるため、如何に短期間で作業を終了させるかが大きな問題となっている。
牧草生産は、例えば、モアコンディショナーによる刈取り、テッターによる牧草の反転、集草機械（レーキ）による集草、ロールベーラーによるロール梱包の作業工程で行なわれている。
然しながら、特に、ロール梱包を行なうロールベーラーは、牧草の量が多いときに集草が多くなってしまったり、降雨の心配をうけて、時間的に余裕がないときに集草を多目にしたりすると、牧草によるチャンバー（吸い込み口）の詰まりが発生し、作業がたびたび中断して作業能率を悪くしているのが現実である。【０００３】
此種従来の先行文献としては、例えば、特許文献１〜４があり、特許文献１は、物理的な圧力により、牧草の細胞膜を破壊させると共に、固い茎部と軟らかい葉部とを圧着させて、茎部の水分を葉部を通して蒸散させるようにし、且つ、加圧処理した牧草がマット状に連続するようにして、それを刈株の上に置くことにより下方からの空気によっても乾燥が行なえるようにした牧草の地干し乾燥前処理方法が記載されている。
特許文献２は、トラクターの後にロータリーレーキ装置およびロールベーラーを連結した状態で走行し、集草作業と梱包作業とを一度に連続して行なうようにしたロータリーレーキ装置が記載されている。
特許文献３は、牧草地で使用する場合、狭いタイヤの車輪と共に広いタイヤの車輪を使用でき、車輪と耕地間の接触面積が広くなり低い地圧が確保できるトラクター等の車両が記載されている。
特許文献４は、トラクターにけん引させ得るようにした車輪つきフレームに対し、牧草地の表面を破砕し、牧草の側根を切断するための外周に波状刃を設けたコルターと、地下の盤層を破砕し通気及び通水を良好とするための心土破砕刃及び土中掘起し翼を有するり体と盛り上がった牧草生育土面を鎮圧するローラーとを装着してなる牧草再生機が記載されている。
【特許文献１】特開平１１−５６０８３号公報
【特許文献２】特開平５−２２７８２４号公報
【特許文献３】特開昭６０−１８４６２号公報
【特許文献４】特開昭５４−１５８４０号公報
【発明の開示】
【発明が解決しようとする課題】
【０００４】
前述したように、今迄の牧草収穫作業では、刈取り、反転、集草及びロール梱包の工程で、牧草収量が多い場合や、天候条件によって牧草の集草を多くしなければならない場合等において、ロールベーラーが集草列（集草機械によってかき集められた牧草の列）の草をスムーズに取り込むことが困難となり、牧草の詰まり等により作業の中断が生じることがあった。
これを防ぐためには、集草密度を低くする以外に方法がなく、これにより牧草の収穫作業に時間がかかるだけでなく、日中での作業が夜間や翌日以降にずれ込むことで、水分のもどりや降雨にあう確率が高くなり、良質な牧草の収穫を難しくしている。
尚、前述の特許文献１〜４は、前述の問題点を解決するものではない。
良質な牧草を収穫するためには、一連の作業の作業能率をいかに高めるかにかかっている。
良質な牧草を生産確保することは、良質な牛乳や牛肉等を生産する上で不可欠である。又、良質な自給飼料の給与は採食量の増加につながり、且つ、疾病の防止や購入飼料費の削減につながり、経済効果も大である。従って、前述の問題の解決が望まれている。【０００５】
以上の現状に鑑み、本発明は、ロールベーラーの詰まりの発生を防止し、牧草の収穫作業のスピードアップ、トラブルの減少及びロール梱包の高密度化を図るための牧草の収穫作業用補助器具を提供することを目的とする。
【課題を解決するための手段】
【０００６】
上記の課題を解決すべく、本発明は以下の構成を提供する。
請求項１に係る発明は、所定幅及び所定重量を有する転動体と、前記転動体を回転自在に保持する保持部と、前記保持部をトラクターの前部、又は、集草機械の後部に取り付けるための取付部とを備え、ロールベーラーを牽引するトラクターの前部又は集草機械の後部に前記取付部を取り付け、前記トラクター又は集草機械の移動に伴う前記転動体の転動により、予め集草された集草列を転圧するように構成したことを特徴とする牧草の収穫作業用補助器具を提供するものである。【０００７】
請求項２に係る発明は、前記転動体は、並列する複数のタイヤからなることを特徴とする請求項１記載の牧草の収穫作業用補助器具を提供するものである。
請求項３に係る発明は、前記転動体は、円筒体又は円柱体からなることを特徴とする請求項１記載の牧草の収穫作業用補助器具を提供するものである。
請求項４に係る発明は、前記円筒体又は円柱体は、金属製の円筒体又は円柱体からなることを特徴とする請求項３記載の牧草の収穫作業用補助器具を提供するものである。【０００８】
請求項５に係る発明は、前記保持部は両端部に脚部が夫々垂設され、前記脚部の下端部にタイヤが回転自在に配設され、前記保持部の両端部で前記脚部の内側に、油圧ホイストの作動により揺動するアーム部が夫々揺動自在に設けられ、その両アーム部の先端部に前記転動体が回転自在に軸支されていることを特徴とする請求項３又は４記載の牧草の収穫作業用補助器具を提供するものである。
請求項６に係る発明は、前記両アーム部は弾性手段によって所定の揺動を制限されていることを特徴とする請求項５記載の牧草の収穫作業用補助器具を提供するものである。
請求項７に係る発明は、前記転動体と前記保持部との近接・離反寸法を示すためのゲージの下端部が、前記両アーム部を掛架する掛架部の中央部に揺動自在に設けられ、ゲージの上端部が前記保持部に設けられたゲージ保持部材を摺動自在に貫通して設けられていることを特徴とする請求項５又は６記載の牧草の収穫作業用補助器具を提供するものである。
【発明の効果】
【０００９】
本発明によれば、集草機械レーキによる集草後ただちに集草列の草をタイヤのローラー等の転動体で踏み固め、体積を少なくし、密度を高くすることによってロールベーラーのチャンバーに、スムーズに取り込むことができる。
これによって、従来、牧草の収穫作業効率に最も影響を与えているロールベーラーへの牧草の詰まりによる作業中断を防止することができ、牧草の収穫作業のスピードアップ、トラブルの減少、ロール梱包の高密度化を図ることができ、更に、省エネ、エコロジーにも貢献することが可能である。
又、従来と同じサイズのロールに１０〜１５％程度以上詰め込むことができ、経営上のコストの面で非常にプラスとなる。
更に又、次のような効果も期待できる。
・風の強い日でも、牧草の拡散を防ぐことができる。
・乾燥のしすぎを防ぐことができる。
・集草列の体積を小さくするので、トラクター等が集草列上を走行する場合の通り抜けが良くなる。又、その場合に、草が絡む等の問題がなくなる。
・集草列の空気の通り抜けが悪くなるので、湿気を吸いにくくなる。
・フォーレージハーベスターを用いる場合に、フォーレージハーベスターへの取り込み及びきざみ作業が容易になりフォーレージハーベスターの作業効率を高めることができる。
【発明を実施するための最良の形態】
【００１０】
以下、実施例を示した図面を参照しつつ本発明の実施の形態を説明する。
図１及び図２に於いて、１は本発明の第１実施例の牧草の収穫作業用補助器具であり、牧草の収穫作業用補助器具１は、所定幅及び所定重量を有する転動体である並列する複数のタイヤ２，２…と、タイヤ２，２…を回転自在に保持する保持部３と、保持部３をトラクター（図示せず）の前部に取り付けるための取付部４とを備えている。【００１１】
図３及び図４は、ロールベーラー５を牽引するトラクター６の前部に前記牧草の収穫作業用補助器具１の取付部４を取り付け、トラクター６と、牧草の収穫作業用補助器具１とを連結した状態を示している。
尚、ロールベーラー５を牽引しないトラクター６の前部に取り付けることも可能であるが、ロールベーラー５を牽引するトラクター６の前部に取り付けて、牧草の収穫作業用補助器具１による作業とロールベーラー５の作業とを連続して同時に行なう方が作業効率が良い。【００１２】
而して、ロールベーラー５を牽引するトラクター６と、牧草の収穫作業用補助器具１とを連結した状態で、予め集草機械（図示せず）により集草された集草列（図５に於いて７参照）に沿ってトラクター６を前進させると、トラクター６の前進に伴い、牧草の収穫作業用補助器具１の複数のタイヤ２，２…が転動し、複数のタイヤ２，２…によって集草列を転圧し、集草列を踏み固め、体積を少なくし（コンパクトにし）、密度を高くする。
図５（ａ）は、牧草の収穫作業用補助器具１による集草列７の踏み固め前の状態を示し、図５（ｂ）は、牧草の収穫作業用補助器具１による集草列７の踏み固め後の状態を示している。
次に、後に続くロールベーラー５が、先に踏み固められた集草列の牧草をチャンバーから吸入し、ロール梱包を行なう。
ロールベーラー５がチャンバーから集草列の牧草を吸入する時、集草列は予め踏み固められ、体積が少なくなっているので、ロールベーラー５の吸入口で集草列の牧草が詰まることがなく、スムーズに吸入される。これにより、集草及びロール梱包作業のスピードアップ化とロールの高密度化を図ることができ、更には、ロールベーラー５のトラブルによる停止や故障も低減可能となる。【００１３】
図６及び図７に於いて、２１は本発明の第２実施例の牧草の収穫作業用補助器具であり、牧草の収穫作業用補助器具２１は、所定幅及び所定重量を有する転動体である並列する複数のタイヤ２２，２２…と、タイヤ２２，２２…を回転自在に保持する保持部２３と、保持部２３を集草機械の後部に取り付けるための取付部２４とを備えている。【００１４】
図８及び図９は、トラクター２６に牽引される集草機械２５の後部に前記牧草の収穫作業用補助器具２１の取付部２４を取り付け、集草機械２５と、牧草の収穫作業用補助器具２１とを連結した状態を示している。【００１５】
而して、トラクター２６の後部に集草機械２５を取り付け、集草機械２５の後部に牧草の収穫作業用補助器具２１を連結した状態で、トラクター２６を前進させ、集草機械２５を駆動すると、集草機械２５が予め刈り込まれた牧草を集草し、集草列を作る。
そして、牧草の収穫作業用補助器具２１の複数のタイヤ２２，２２…が集草列上を転動し、これによって、複数のタイヤ２２，２２…が集草列を転圧し、集草列を踏み固め、体積を少なくし、密度を高くする。【００１６】
次に、図示は省略するが、後に続くロールベーラーが、先に踏み固められた集草列の牧草を吸入し、ロール梱包を行なう。
ロールベーラーが集草列を吸入する時、集草列は先に踏み固められ、体積が少なくなっているので、ロールベーラーのチャンバーで集草列の牧草が詰まることがなく、スムーズに吸入される。これにより、集草及びロール梱包作業のスピードアップ化とロールの高密度化を図ることができ、更には、ロールベーラー５のトラブルによる停止や故障も低減可能となる。【００１７】
図１０に於いて、３１は、本発明の第３実施例の牧草の収穫作業用補助器具であり、牧草の収穫作業用補助器具３１は、前記牧草の収穫作業用補助器具（図２に於いて１）の転動体である並列する複数のタイヤ（図２に於いて２，２…）に代えて、転動体である金属製の円筒体３２を設けたものであり、更に、円筒体３２を回転自在に保持する保持部３３と、保持部３３をトラクター（図示せず）の前部に取り付けるための取付部３４とを備えている。
尚、前記円筒体３２は、金属製に限定されるものではなく、合成樹脂、ゴム、木等で形成したものでも良く、或いは、それらの外周部が金属板で覆われたものでも良く、更に、円筒体に限定されるものではなく、円柱体に形成されても良い。【００１８】
そして、図１１に示すように、前記収穫作業用補助器具３１の保持部３３は両端部に脚部３５，３５が夫々垂設され、脚部３５，３５の下端部にタイヤ３６，３６が回転自在に配設され、保持部３３の両端部で脚部３５，３５の内側に、油圧ホイスト３７の作動により揺動する両アーム部３８，３８が揺動自在に設けられ、その両アーム部３８，３８の先端部に円筒体３２が回転自在に軸支されている。
更に、両アーム部３８，３８は弾性手段であるバネ３９によって所定の揺動を制限されている。【００１９】
更に詳細に説明すると、両アーム部３８，３８に掛架する掛架部４０の中央部に油圧ホイスト３７のピストンロッド側が揺動自在に固着され、油圧ホイスト３７のシリンダ側から同軸上に延びる棒体４１の上端部が、保持部３３に設けられた棒体保持部材４２を摺動自在に貫通して設けられ、棒体４１を包持する状態で、油圧ホイスト３７と棒体保持部材４２とに夫々両端が固着された弾性手段であるバネ３９が、油圧ホイスト３７と棒体保持部材４２の間に介装されて設けられている。尚、前記構成に於いて、円筒体３２の上下動の下死点は、好適には、円筒体３２が地面につく直前に設定される。【００２０】
従って、円筒体３２が上方向に押されると、それに伴いアーム部３８，３８が揺動するが、アーム部３８，３８はバネ３９により反力を受け、アーム部３８，３８の揺動が制限され、円筒体３２は、上方向への動きに反力が加えられる。この反力と円筒体３２の自重とにより、円筒体３２は集草列に転圧を加えることができる。
又、円筒体３２と、保持部３３との近接・離反寸法を示すためのゲージ４３が設けられ、ゲージ４３の下端部は、掛架部４０に揺動自在に設けられ、ゲージ４３の上端部は保持部３３に設けられたゲージ保持部材４４を摺動自在に貫通して設けられている。
円筒体３２が保持部３３に対して上下動すると、掛架部４０も上下動し、それによってゲージ４３も上下動し、ゲージ４３の上端部がゲージ保持部材４４上で上下動し、ゲージ４３の目盛や、ゲージ４３のゲージ保持部材４４上の突出高さにより、円筒体３２の上下動を読み取ることができる。【００２１】
前記第３実施例の牧草の収穫作業用補助器具３１は、前記牧草の収穫作業用補助器具（図２に於いて１）と同様に、ロールベーラーを牽引するトラクターの前部に取り付けて、前記牧草の収穫作業用補助器具（図２に於いて１）と同様に用いることが可能である。【００２２】
図１２に於いて、５１は、本発明の第４実施例の牧草の収穫作業用補助器具であり、牧草の収穫作業用補助器具５１は、前記牧草の収穫作業用補助器具（図７に於いて１）の転動体である並列する複数のタイヤ（図７に於いて２２，２２…）に代えて、転動体である金属製の円筒体５２を設けたものであり、円筒体５２を回転自在に保持する保持部５３と、保持部５３を集草機械の後部に取り付けるための取付部５４とを備えている。
尚、前記円筒体５２は、前記円筒体（図１０に於いて３２）と同様に、金属製に限定されるものではなく、合成樹脂、ゴム、木等で形成したものでも良く、或いは、それらの外周部が金属板で覆われたものでも良く、更に、円筒体に限定されるものではなく、円柱体に形成されても良い。
前記第４実施例の牧草の収穫作業用補助器具５１は、前記牧草の収穫作業用補助器具（図７に於いて２１）と同様に、集草機械の後部に取り付けて、前記牧草の収穫作業用補助器具（図７に於いて２１）と同様にもちいることが可能である。【００２３】
又、本発明の第４実施例の牧草の収穫作業用補助器具５１には、前記本発明の第３実施例の牧草の収穫作業用補助器具３１に設けた、図１１に示すタイヤ３６、油圧ホイスト３７、バネ３９、ゲージ４３が同様に配設されており、これらによる同様の効果を得ることができる。
尚、図１１に示すタイヤ３６、油圧ホイスト３７、バネ３９、ゲージ４３を前記第３実施例の牧草の収穫作業用補助器具３１と同様に本発明の前記第１及び２実施例の牧草の収穫作業用補助器具１及び２１に配設して、同様の効果を得ることも可能である。
【図面の簡単な説明】
【００２４】
【図１】本発明による第１実施例の牧草の収穫作業用補助器具の側面図である。
【図２】本発明による第１実施例の牧草の収穫作業用補助器具の平面図である。
【図３】本発明による第１実施例の牧草の収穫作業用補助器具をロールベーラーを牽引するトラクターの前部に取り付けた状態を示す側面図である。
【図４】本発明による第１実施例の牧草の収穫作業用補助器具をロールベーラーを牽引するトラクターの前部に取り付けた状態を示す平面図である。
【図５】（ａ）本発明による第１実施例の牧草の収穫作業用補助器具による集草列の踏み固め前の状態を示す斜視図である。（ｂ）本発明による第１実施例の牧草の収穫作業用補助器具による集草列の踏み固め後の状態を示す斜視図である。
【図６】本発明による第２実施例の牧草の収穫作業用補助器具の側面図である。
【図７】本発明による第２実施例の牧草の収穫作業用補助器具の平面図である。
【図８】本発明による第２実施例の牧草の収穫作業用補助器具を集草機械の後部に取り付けた状態を示す側面図である。
【図９】本発明による第２実施例の牧草の収穫作業用補助器具を集草機械の後部に取り付けた状態を示す平面図である。
【図１０】本発明による第３実施例の牧草の収穫作業用補助器具の平面図である。
【図１１】本発明による第３実施例の牧草の収穫作業用補助器具の正面図である。
【図１２】本発明による第４実施例の牧草の収穫作業用補助器具の平面図である。
【符号の説明】
【００２５】
１，２１，３１，５１  牧草の収穫作業用補助器具
２，２２，３６  タイヤ
３，２３，３３，５３  保持部
４，２４，３４，５４  取付部
５  ロールベーラー
６，２６  トラクター
７  集草列
２５  集草機械
３２，５２  円筒体
３５  脚部
３７  油圧ホイスト
３８  アーム部
４０  掛架部
４３  ゲージ
４４  ゲージ保持部材
【図１】
2009034700.tif 000003
【図２】
2009034700.tif 000004
【図３】
2009034700.tif 000005
【図４】
2009034700.tif 000006
【図５】
2009034700.tif 000007
【図６】
2009034700.tif 000008
【図７】
2009034700.tif 000009
【図８】
2009034700.tif 000010
【図９】
2009034700.tif 000011
【図１０】
2009034700.tif 000012
【図１１】
2009034700.tif 000013
【図１２】
2009034700.tif 000014
【国際調査報告】
2009034700.tif 000015
2009034700.tif 000016
2009034700.tif 000017
2009034700.tif 000018